(57)【要約】      （修正有）【課題】支線用アンカーを施設する土地を有効利用できるとともに、支線用アンカーを施設する土地に隣接する土地の所有者が、支線の端部の先にある支線用アンカーが境界線を越えているか否かを外部から視認することができる支線用アンカーを提供する。【解決手段】地面に立設される柱状物と地面との間に傾斜して架設される支線の端部に接続されるとともに、地中に埋め込まれる支線用アンカー１において、上部に支線が接続されるとともに、地面から前記上部が露出するように地中に埋め込まれる、上下方向に延びる固定部材２と、固定部材２の側面２ｃから外方に延出される一対の側板３と、該一対の側板の下端部を閉塞するように配置される底板４とを備える。【選択図】図１
2014222004.tif 000002
【特許請求の範囲】
【請求項１】
地面に立設される柱状物と地面との間に傾斜して架設される支線の端部に接続されるとともに、地中に埋め込まれる支線用アンカーにおいて、
上部に支線が接続されるとともに、前記上部が地面から露出するように地中に埋め込まれる、上下方向に延びる固定部材と、固定部材の側面から外方に延出される一対の側板と、該一対の側板の下端部を閉塞するように配置される底板とを備えることを特徴とする支線用アンカー。
【請求項２】
前記固定部材の上部に、前記支線が接続される雄ねじが上下方向に螺合されることを特徴とする請求項１に記載の支線用アンカー。
【請求項３】
前記一対の側板は交差するように延出されることを特徴とする請求項１または２に記載の支線用アンカー。
【請求項４】
前記底板は、外方に向かうにしたがって下降傾斜することを特徴とする請求項１乃至３のいずれか１項に記載の支線用アンカー。
【請求項５】
前記固定部材は、角柱状で、下端部が先細りに形成されることを特徴とする請求項１乃至４のいずれか１項に記載の支線用アンカー。
【発明の詳細な説明】
【技術分野】
【０００１】
本発明は、地面に立設される柱状物、例えば、電線が架設された電柱を支線によって補強支持する際に用いられる支線用アンカーに関する。
【背景技術】
【０００２】
地面に立設される柱状物、例えば、上部に複数の電線が架設される電柱Ｐは、図６に示すように、電柱Ｐと地面Ｇとの間に斜めに架設される支線Ｃによって補強支持されているのが一般的である。そして、支線Ｃは、一端部が電柱Ｐの上部に所定の固定具（図示せず）によって固定され、他端部が電柱Ｐの設置箇所から所定の間隔をおいた箇所に埋め込まれる。この支線Ｃの他端部には、支線用アンカー（図示せず）が取り付けられている。この支線アンカーによって、支線Ｃの他端部は、地面Ｇに対して強固に固定される。
【０００３】
従来のこの種の支線用アンカー５０としては、例えば、図７（ａ）に示すように、先端側に電柱の支線が連結される円筒形状の案内板５１と、案内板５１の基端側から湾曲して延出する長尺状の抵抗板５２と、案内板５１の基端側から延出する長尺状の２つの安定板５３とを備えている（特許文献１参照）。
【０００４】
かかる支線用アンカー５０によれば、案内板５１の基端側に連結された抵抗板５２の先端を地面Ｇに突き当てて、この抵抗板５２の凹んだ面が電柱Ｐ側に向くように、抵抗板５２を直立させる。この状態で、抵抗板５２の基端側にロットハンマーを当てて、抵抗板５２を地中に打ち込む。そうすることで、湾曲している抵抗板５２が地中に打ち込まれる。この際、この抵抗板５２の凹んだ面が支線Ｃに対して略鉛直となる。
【０００５】
つぎに、一方の安定板５３に案内板５１を挿通して、一方の安定板５３の基端側にロットハンマーを当接して、一方の安定板５３を地中に打ち込む。そうすることで、図７（ｂ）に示すように、一方の安定板５３が土地の一直線状の境界線Ａに沿うように位置する。
【０００６】
つぎに、他方の安定板５３に案内板５１を挿通して、他方の安定板５３の基端側にロットハンマーを当接して、他方の安定板５３を地中に打ち込む。そうすることで、他方の安定板５３が土地の境界線Ａに沿うように位置する。すなわち、一対の安定板５３，５３が同一直線上に位置する。そして、案内板５１の先端部に電柱Ｐの支線Ｃを接続する。
【先行技術文献】
【特許文献】
【０００７】
【特許文献１】特開２０１０−２４８７３２号公報
【発明の概要】
【発明が解決しようとする課題】
【０００８】
しかしながら、前記公報の支線用アンカー５０の場合、支線用アンカー５０は境界線Ａの直近に打ち込むことはできても、支線Ｃは境界線Ａに接近した状態で地中に引き込まれている。具体的には、境界線Ａから離れた図７（ｂ）に示す符号Ｘの位置に引き込まれている。したがって、支線を施設する土地の所有者にとっては、土地の有効利用ができないという問題がある。
【０００９】
また、地中に引き込まれた支線Ｃの端部に接続される支線用アンカー５０の接続部位は、外部からは視認できないため、支線用アンカー５０を施設する土地に隣接する土地の所有者は、支線Ｃの端部の先にある支線用アンカー５０が境界線Ａを越えているのではないのか、という疑義が生じる。
【００１０】
ここで、支線Ｃと支線用アンカー５０との接続部位を境界線Ａ直近に位置させるべく、支線Ｃが接続される支線用アンカー５０の接続部位を地面から露出程度に打ち込むことが考えられるが、そうした場合、支線用アンカー５０が十分な土圧を受けることができず、支線Ｃを十分に地面に固定できない。したがって、上述した土地の所有者とのトラブルを回避できないという問題がある。
【００１１】
そこで、本発明は、上記課題に鑑み、支線用アンカーを施設する土地を有効利用できるとともに、支線用アンカーを施設する土地に隣接する土地の所有者が、支線の端部の先にある支線用アンカーが境界線を越えているか否かを外部から視認することができる支線用アンカーを提供することを目的とする。
【課題を解決するための手段】
【００１２】
本発明に係る支線用アンカーは、地面に立設される柱状物と地面との間に傾斜して架設される支線の端部に接続されるとともに、地中に埋め込まれる支線用アンカーにおいて、上部に支線が接続されるとともに、地面から前記上部が露出するように地中に埋め込まれる、上下方向に延びる固定部材と、固定部材の側面から外方に延出される一対の側板と、該一対の側板の下端部を閉塞するように配置される底板とを備えることを特徴とする。
【００１３】
かかる構成によれば、上下方向に延びる固定部材を、該固定部材の上部が露出するように地中に埋め込むようにしたので、固定部材が地中に対して直立した状態で埋め込まれるようになる。したがって、土地の境界線の直近に支線を接続することができるので、支線用アンカーが施設される土地を有効利用することができる。
【００１４】
また、支線と支線用アンカーとの接続部が外部から視認できるので、支線用アンカーが施設される土地に隣接する土地の所有者とのトラブルを回避することができる。
【００１５】
また、固定部材と、一対の側板と、底板とで形成される空間に土圧を受けることになるので、地面に対して支線を十分に固定できるようになる。
【００１６】
また、本発明に係る支線用アンカーの一態様として、前記固定部材の上部に、前記支線が接続される雄ねじが上下方向に螺合されるような構成を採用することもできる。
【００１７】
この場合、固定部材から雄ねじを分離できるので、固定部材を地中に残しておくことができる。
【００１８】
また、本発明に係る支線用アンカーの他態様として、前記一対の側板は交差するように延出されることもある。
【００１９】
この場合、一対の側板が、土地の境界線の角部の線上に沿うようになるので、境界線の角部の直近で、支線用アンカーを埋め込むことができる。
【００２０】
また、本発明に係る支線用アンカーの他態様として、前記底板は、外方に向かうにしたがって下降傾斜するような構成を採用することもできる。
【００２１】
この場合、底板が、外方に向かうにしたがって下降傾斜するので、より大きな土圧を受けることができ、支線用アンカーをより強固に地中に固定することができる。
【００２２】
また、本発明に係る支線用アンカーの他態様として、前記固定部材は、角柱状で、下端部が先細りに形成されるような構成を採用することもできる。
【００２３】
この場合、固定部材を地中に埋め込む際に軸心がぶれにくく、固定部材を直立した状態で埋め込むことができる。
【発明の効果】
【００２４】
本発明によれば、支線用アンカーを施設する土地を有効利用できるとともに、支線用アンカーを施設する土地に隣接する土地の所有者が、支線の端部の先にある支線用アンカーが境界線を越えているか否かを外部から視認することができる。
【図面の簡単な説明】
【００２５】
【図１】本発明の一実施形態に係る支線用アンカーを示す斜視図。
【図２】同実施形態に係る支線用アンカーの側面図。
【図３】同実施形態に係る支線用アンカーの平面図。
【図４】同実施形態に係る支線用アンカーの使用態様を説明する斜視図。
【図５】同実施形態に係る支線用アンカーの使用態様を説明する平面図。
【図６】電柱が支線によって補強支持されている状態を示す図。
【図７】（ａ）は、従来の支線用アンカーを示す斜視図、（ｂ）は、支線用アンカーの使用態様を示す図。
【発明を実施するための形態】
【００２６】
本発明の一実施形態に係る支線用アンカーについて図１〜図５を参照しながら説明する。本実施形態に係る支線用アンカー１は、図１に示すように、固定部材２と、一対の側板３，３と、底板４とを備えている。
【００２７】
固定部材２は、図１に示すように、上下方向に延びる角柱部材により構成されている。そして、固定部材２の上端部２ａの端面中央部に、軸心に沿ってねじ孔２０が形成されている。このねじ孔２０に雄ねじ２１が上下方向に螺合される。また、固定部材２の下端部２ｂは、地中に埋め込む際に、その中心がぶれないように、先細りに形成されている。
【００２８】
雄ねじ２１は、その上端部に、支線Ｃの端部が接続される接続用リング２１０が設けられている。そして、固定部材２は、図４に示すように、上部（雄ねじ２１）が地面から露出するように地中に埋め込まれ、雄ねじ２１の接続用リング２１０が地面から突出することになる。
【００２９】
一対の側板３，３は、互いが交差（直交）するように、固定部材２の隣接する一対の側面２ｃ、２ｃから外方に延出される。具体的には、固定部材２の隣接する一対の側面２ｃから、角部Ｂを形成する一対の境界線Ａ，Ａに平行するように延出される。また、一対の側板３，３は、側面視略平行四辺形に形成されており、平行する上下一対の辺が外側に向かうにしたがって下降傾斜している。また、上側の辺に対して、下側の辺がやや大きくなっている。
【００３０】
底板４は、平面視扇形状を呈している。また、底板４は、一対の側板３，３の下端部３ｂ，３ｂを閉塞するように配置されるとともに、外方に向かうにしたがって下降傾斜している。また、底板４は、一対の側板３，３の先端部３ｃ，３ｃを繋ぐべく、その先端部が円弧状になっている。そして、底板４の先端部４ｃの円弧状部の中央部と、一対の側板３，３間に位置する固定部材２の角部２ｄとを結ぶ線上に沿ってリブ４０が形成されている。このリブ４０によって、土圧を受ける底板４の強度を確保することができる。
【００３１】
したがって、支線用アンカー１は、上面および前面が開放された有底筒状を呈しており、一対の側板３，３および底板４によって、十分な土圧を受ける容積を確保している。すなわち、支線Ｃを地面Ｇに十分に固定できるようになる。
【００３２】
なお、支線用アンカー１の材質としては、鋼材、コンクリート、硝子繊維強化プラスチック（以下、ＦＲＰという）のうちいずれかである。例えば、支線用アンカー１として、重量が優先される場合は、鋼材またはコンクリートであり、作業性が優先される場合は、ＦＲＰを選択する。また、支線用アンカー１の大きさとしては、アースオーガーで掘削した掘削孔Ｈに収まる程度の大きさとする。
【００３３】
つぎに本実施形態に係る支線用アンカー１の使用態様について説明する。まず、図４に示すように、電柱Ｐが設置されている箇所から所定の間隔をおいた箇所、すなわち、土地の境界線Ａ，Ａの角部Ｂに、アースオーガーで掘削孔Ｈを形成する。一方、支線用アンカー１は、固定部材２のねじ孔２０に雄ねじ２１を予め螺合させた状態にしておく。
【００３４】
つぎに、固定部材２の先細りした下端部２ｂを下向きにするとともに、一対の側板３，３が、角部Ｂを形成する一対の境界線Ａ，Ａ上に沿うようにして、前記掘削孔Ｈ内に、固定部材２を直立した状態で配置する。
【００３５】
そして、固定部材２の上部に螺合した雄ねじ２１の接続用リング２１０が地面Ｇから突出する程度の位置で、支線用アンカー１に土を被せて、掘削孔Ｈ内に支線用アンカー１を埋めこむ。
【００３６】
そして、地面Ｇから突出した接続用リング２１０に支線Ｃの端部を接続する。この際、図５に示すように、支線Ｃは、電柱Ｐの中心と、支線アンカー１の固定部材２の中心とを結ぶ線上に沿うように接続される。したがって、支線アンカー１の一対の側板３，３に対して、支線Ｃの張力が均等にかかるようになり、バランスよく支持されることになる。また、底板４が一対の側板３，３の下端部を閉塞するように配置されているので、一対の側板３，３と底板４との大きな容積を形成しており、その分、十分な土圧を受けることができる。すなわち、地面Ｇに対して支線Ｃを十分に固定できるようになる。また、支線用アンカー１の一対の側板３，３が境界線Ａ，Ａに沿うようにして埋めこまれることで、境界線Ａ，Ａにより形成される角部Ｂの直近に支線用アンカー１を埋め込むことができる。
【００３７】
これによって、支線Ｃを施設する土地の所有者は、土地を有効活用することができる。また、支線Ｃを施設する土地に隣接する土地の所有者は、支線Ｃおよび支線用アンカー１が境界線Ａ，Ａの直近に埋めこまれることが外部から視認することができる。
【００３８】
なお、雄ねじ２１０を取り外した後の固定部材２のねじ孔２０の開口部は、キャップ（図示せず）を装着するようにして、固定部材２、一対の側板３，３、底板４は地中に据え付けたままとする。
【００３９】
以上、本発明に係る支線用アンカーによれば、支線用アンカー１を施設する土地を有効利用することができる。また、支線用アンカー１を施設する土地に隣接する土地の所有者が、支線Ｃの端部の先にある支線用アンカー１が境界線Ａ，Ａを越えて埋め込まれているか否かを外部から視認することができる。したがって、土地所有者とのトラブルが回避される。
【００４０】
また、本発明に係る支線用アンカーは、前記実施形態に限定することなく種々変更することができる。
【００４１】
例えば、前記実施形態の場合、一対の側板３，３が交差（直交）するように、固定部材２の側面２ｃから延出したが、互いの側板３，３が一直線上に並ぶように、固定部材２の側面２ｃから延出してもよい。
【００４２】
また、前記実施形態の場合、底板４について、外側に向かうにしたがって下降傾斜するようにしたが、水平であってもよい。
【符号の説明】
【００４３】
１…支線用アンカー、２…固定部材、２ａ…上端部、２ｂ…下端部、２ｃ…側面、２ｄ…角部、３…側板、３ｂ…側板の下端部、３ｃ…側板の先端部、４…底板、４ｃ…底板の先端部、２０…ねじ孔、２１…雄ねじ、４０…リブ、２１０…接続用リング、Ａ…境界線、Ｂ…角部、Ｃ…支線、Ｇ…地面、Ｈ…掘削孔、Ｐ…電柱
【図１】
2014222004.tif 000003
【図２】
2014222004.tif 000004
【図３】
2014222004.tif 000005
【図４】
2014222004.tif 000006
【図５】
2014222004.tif 000007
【図６】
2014222004.tif 000008
【図７】
2014222004.tif 000009
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
地面に立設される柱状物と地面との間に傾斜して架設される支線の端部に接続されるとともに、地中に埋め込まれる支線用アンカーにおいて、
上部に支線が接続されるとともに、前記上部が地面から露出するように地中に埋め込まれる、上下方向に延びる固定部材と、
該固定部材の側面から外方に延出される一対の側板であって、上下方向に延びる一対の側板と、
該一対の側板の下端部間を閉塞する底板とを備えることを特徴とする支線用アンカー。
【請求項２】
前記固定部材の上部に、前記支線が接続される雄ねじが上下方向に螺合されることを特徴とする請求項１に記載の支線用アンカー。
【請求項３】
前記一対の側板は交差するように延出されることを特徴とする請求項１または２に記載の支線用アンカー。
【請求項４】
前記底板は、外方に向かうにしたがって下降傾斜することを特徴とする請求項１乃至３のいずれか１項に記載の支線用アンカー。
【請求項５】
前記固定部材は、角柱状で、下端部が先細りに形成されることを特徴とする請求項１乃至４のいずれか１項に記載の支線用アンカー。
【手続補正２】
【補正対象書類名】明細書
【補正対象項目名】００１２
【補正方法】変更
【補正の内容】
【００１２】
本発明に係る支線用アンカーは、地面に立設される柱状物と地面との間に傾斜して架設される支線の端部に接続されるとともに、地中に埋め込まれる支線用アンカーにおいて、上部に支線が接続されるとともに、地面から前記上部が露出するように地中に埋め込まれる、上下方向に延びる固定部材と、該固定部材の側面から外方に延出される一対の側板であって、上下方向に延びる一対の側板と、該一対の側板の下端部間を閉塞する底板とを備えることを特徴とする。
【手続補正３】
【補正対象書類名】明細書
【補正対象項目名】００１５
【補正方法】変更
【補正の内容】
【００１５】
また、上下方向に延びる固定部材と、該固定部材の側面から外方に延出される一対の側板であって、上下方向に延びる一対の側板と、該一対の側板の下端部間を閉塞する底板とで形成される空間に土圧を受けることになるので、地面に対して支線を十分に固定できるようになる。